(57)【要約】【課題】ドラム内の衣類を分散させ、洗浄性能を上げるドラム式洗濯機を提供すること。【解決手段】回転中心軸が正面側から背面側に向かって下向きに傾斜した回転ドラム３１と、回転ドラム３１を内包する水槽３３と、モータ３５と、モータ３５等を制御して、洗い、すすぎ、脱水等の各行程を制御する制御手段５６とを備え、回転ドラム３１は、内壁面に複数の側面バッフル３６、内底面に複数の凸部バッフル４６を設けるとともに、側面バッフル３６と凸部バッフル４６を、円周上にて交互に配置することにより、洗浄、すすぎ性能を向上させ、洗濯物を分散させることができる。また、この洗濯物の分散により、脱水時に振動、騒音を低減させることができるドラム式洗濯機。【選択図】図１
2012170680.tif 000002
【特許請求の範囲】
【請求項１】
有底円筒状に形成され回転軸が水平または正面側から背面側に向かって下向きに傾斜した回転ドラムと、前記回転ドラムを回転自在に内包する水槽と、前記回転ドラムを回転駆動するモータと、前記回転ドラム、水槽、モータ等で構成される水槽ユニットの下側を防振ダンパーにて揺動自在に弾性支持した洗濯機本体と、洗い、すすぎ、脱水等の各行程を制御する制御手段とを備え、前記回転ドラムは、内壁面に複数の側面バッフルおよび内底面に複数の凸部バッフルを設けるとともに、前記側面バッフルと前記凸部バッフルとを円周上に交互に配置したドラム式洗濯機。
【発明の詳細な説明】
【技術分野】
【０００１】
本発明は、回転ドラム内の洗濯物を分散させて、洗濯物同士の絡みを少なくし、洗濯を効率よく行なうドラム式洗濯機に関するものである。
【背景技術】
【０００２】
従来、この種の洗濯機は、回転ドラム内にバッフルを設けたり、あるいは、そのバッフルの形状や、回転ドラムの形状を工夫したりした構成が提案されてきた（例えば、特許文献１参照）。
【０００３】
図３は、特許文献１に記載された従来のドラム式洗濯乾燥機の縦断面図を示す。
【０００４】
図３において、筺体１内に、複数のサスペンション（図示せず）で支持された水槽２が配設されている。水槽２は、回転軸周りに軸対称な略筒状をしており、かつ、水槽２の回転軸が水平方向に対して、その底面部４ａ側が下側となるよう前上がりに傾斜して配設されている。そして、周壁部に多数の孔３を有したドラム４が、水槽２に内包されており、水槽２の底面部に設けたモータ等の駆動装置５によって、回転駆動するもので、正逆回転させるようになっている。
【０００５】
そして、この正逆回転時に、ドラム４内の周壁に設けたバッフル６により、衣類Ａを持ち上げて落下させることで撹拌している。バッフル６は、ドラム内の底面部４ａから前面側の開口部２ａに向かって延びており、底面部４ａ側の幅が広くなっている。そして、バッフル６は、ドラム４の回転軸心方向へ向かって内方に突出するように複数設けてある。
【０００６】
ドラム４は、底面部４ａの内径をＤ１、前面部の内径をＤ２とすると、Ｄ１＜Ｄ２となる、前面部が径大のテーパー構造となっている。
【０００７】
ドラム４の底面部４ａには、補助バッフル２１が設けてあり、バッフル６の側面に連接され、かつ、ドラム４の底面部４ａに向かって拡がる傾斜面２１ａを形成してバッフル６の両側面６ａに設けてあり、ドラム４の正逆回転のいずれの場合でも、洗濯物をドラム４の前面部側へ移動させることができるという構成である。
【先行技術文献】
【特許文献】
【０００８】
【特許文献１】特開２００９−２２６８８号公報
【発明の概要】
【発明が解決しようとする課題】
【０００９】
しかしながら、前記従来の構成では、ドラムは前面側が径大のテーパー構造となっており、ドラム回転時には、洗濯物は前面側へ移動しやすいが、底面側でのドラムの周速度が速いため、底面部で洗濯物が絡みやすい、つまり、底面部で絡んだ洗濯物が、前面側へ移動していき、洗濯が効率よく行なわれない、また、洗濯物が片寄ってアンバランス状態となり、脱水時に振動が大きくなってしまうという課題があった。
【００１０】
本発明は、前記従来の課題を解決するもので、ドラムの回転による洗濯物の撹拌動作によって洗濯物を前面部側へ移動させてドラム内に三次元的に分散させることが出来るドラム式洗濯機を提供することを目的とする。
【課題を解決するための手段】
【００１１】
前記従来の課題を解決するために、本発明のドラム式洗濯機は、有底円筒状に形成され回転軸が水平または正面側から背面側に向かって下向きに傾斜した回転ドラムと、前記回転ドラムを回転自在に内包する水槽と、前記回転ドラムを回転駆動するモータと、前記回転ドラム、水槽、モータ等で構成される水槽ユニットの下側を防振ダンパーにて揺動自在に弾性支持した洗濯機本体と、洗い、すすぎ、脱水等の各行程を制御する制御手段とを備え、前記回転ドラムは、内壁面に複数の側面バッフルおよび内底面に複数の凸部バッフルを設けるとともに、前記側面バッフルと前記凸部バッフルとを円周上に交互に配置したものである。
【００１２】
これによって、洗い行程時あるいはすすぎ行程時に、洗濯物が絡みにくく、回転ドラム内で洗濯物を三次元的に回転させて、効率よく撹拌動作を行なって、洗浄、すすぎ性能を向上させ、洗濯物を分散させることができる。また、この洗濯物の分散により、脱水時に振動、騒音を低減させることができる。
【発明の効果】
【００１３】
本発明のドラム式洗濯機は、効率よく撹拌動作を行なって、洗浄、すすぎ性能を向上させ、洗濯物を分散させ、この洗濯物の分散により脱水時に振動、騒音を低減させることができる。
【図面の簡単な説明】
【００１４】
【図１】本発明の実施の形態１におけるドラム式洗濯機の縦断面図
【図２】同ドラム式洗濯機の回転ドラム底面部を示す回転ドラム横断面図
【図３】従来のドラム式洗濯乾燥機の縦断面図
【発明を実施するための形態】
【００１５】
第１の発明は、有底円筒状に形成され回転軸が水平または正面側から背面側に向かって下向きに傾斜した回転ドラムと、前記回転ドラムを回転自在に内包する水槽と、前記回転ドラムを回転駆動するモータと、前記回転ドラム、水槽、モータ等で構成される水槽ユニットの下側を防振ダンパーにて揺動自在に弾性支持した洗濯機本体と、洗い、すすぎ、脱水等の各行程を制御する制御手段とを備え、前記回転ドラムは、内壁面に複数の側面バッフルおよび内底面に複数の凸部バッフルを設けるとともに、前記側面バッフルと前記凸部バッフルとを円周上に交互に配置したことにより、洗い行程時あるいはすすぎ行程時に、洗濯物が絡みにくく、回転ドラム内で洗濯物を三次元的に回転させて、効率よく撹拌動作を行なって、洗浄、すすぎ性能を向上させ、洗濯物を分散させることができる。また、この洗濯物の分散により、脱水時に振動、騒音を低減させることができる。
【００１６】
以下、本発明の実施の形態について、図面を参照しながら説明する。なお、この実施の形態によって本発明が限定されるものではない。
【００１７】
（実施の形態１）
図１は、本発明の実施の形態におけるドラム式洗濯機の縦断面図を示すものである。
【００１８】
図１において、回転ドラム３１は、有底円筒形に形成され、外周部に多数の通水孔３２が全面に設けられて、水槽３３内に回転自在に配設されている。回転ドラム３１の回転中心に傾斜方向に回転軸（回転中心軸）３４が設けられ、回転ドラム３１の軸心方向は正面側から背面側に向けて下向きに傾斜させている。この回転軸３４に、ベルト４７を介して、水槽３３の背面側近傍に取り付けたモータ３５を連結し、回転ドラム３１を正転、逆転方向に回転駆動する。回転ドラム３１の傾斜角度は  たとえば１０度とする。また、回転ドラム３１の内壁面には衣類撹拌用の複数個の側面バッフル３６を設けている。また、回
転ドラム３１の内底面部４０には、内側に向かって複数の凸部バッフル４６を形成している。
【００１９】
水槽３３の内底面の外周側には、リング状突起５２が形成され、回転ドラム３１の外底面との隙間を、製造上許容できる寸法まで小さくしてある。これにより、脱水回転時の風の流速を上げることができ、それにより圧力（音圧）が下がるので、風切り音が低減される。
【００２０】
また、回転ドラム３１の外底面側には、回転ドラム３１を強度アップするためのドライブシャフトフランジ５１が固着されている。
【００２１】
上記の、回転ドラム３１、ドライブシャフトフランジ５１、水槽３３、モータ３５等により、振動系の水槽ユニット６０が構成されている。
【００２２】
水槽３３の正面側で洗濯機本体３９の上向き傾斜面に設けた開口部を、蓋体３７により開閉自在に覆い、この蓋体３７を開くことにより、衣類出入口３８を通して回転ドラム３１内に洗濯物を出し入れできるようにしている。
【００２３】
また、水槽ユニット６０は、洗濯機本体３９下方の防振部材４１および上方のばね体４８により揺動自在に防振支持され、水槽３３の下部には排水経路４２の一端を接続し、排水経路４２の他端を排水弁（排水手段）４３に接続して、水槽３３内の洗濯水を排水するようにしている。
【００２４】
洗濯機本体３９上部内方に設けられた給水弁（給水手段）４４は、給水経路４５、洗剤ケース５３を介して水槽３３内に洗濯水を給水するものである。
【００２５】
また、洗濯機本体３９の上部内方には、モータ３５などの動作を制御し、洗い、すすぎ、脱水等の各行程を制御する制御手段５６が配設されている。
【００２６】
モータ３５は、直流ブラシレスモータ等で構成され、制御手段５６および駆動回路（図示せず）等により正逆回転、および回転数可変に制御される。
【００２７】
また、洗濯機本体３９の前面上部には、使用者が洗濯コースを選択したりする入力設定手段４９や、選択結果、行程の進行度合い、動作エラー等を表示して使用者に知らせる表示手段５０が設けられている。
【００２８】
図２は、本発明の実施の形態におけるドラム式洗濯機の、回転ドラム３１の底面側を見た横断面図である。
【００２９】
図２において、前述したように、回転ドラム３１の内壁面には、衣類撹拌用の複数個の側面バッフル３６が設けられており、内底面部には、複数の凸部バッフル４６が設けられている。そして、側面バッフル３６と凸部バッフル４６は、円周上において交互に配置されている。
【００３０】
以上のように構成されたドラム式洗濯機について、以下その動作、作用を説明する。
【００３１】
使用者が、蓋体３７を開いて回転ドラム３１内に洗濯物を投入し、洗剤ケース５３内に所定量の洗剤を投入した後、運転を開始させると、まず、洗い行程を実行する。
【００３２】
洗い行程において、給水弁４４が動作して洗濯水が給水され、その洗濯水は給水経路４
５および洗剤ケース５３を通り、洗剤とともに水槽３３内に入る。所定の水位まで給水した後、モータ３５を制御し、回転ドラム３１を所定の回転速度まで立ち上げて、正転、休止、反転、休止の動作を繰り返す洗い動作を所定時間実行する。
【００３３】
なお、この時、複数の側面バッフル３６と凸部バッフル４６を円周上に交互に配置しているため、回転ドラム３１の回転につれて、底部にある洗濯物が凸部バッフル４６により上部へ押し上げられ、上部へ押し上げられた洗濯物が側面バッフル３６により回転方向に動かされた後、底部へ落ちる。この繰り返しにより、洗濯物を絡ませることなく、回転ドラム３１内で三次元的に回転させて、効率よく洗い動作を行ない、洗濯物を分散させることができる。
【００３４】
また、側面バッフル３６と凸部バッフル４６の間に洗濯物が挟持されるように持ち上げられるので、洗濯物が側面バッフル３６で持ち上げられる途中で洗濯物が側面バッフル３６から滑り落ちにくく、回転ドラムの上部に洗濯物が押し上げられた後、洗濯物が落下するので叩き洗い効果で洗浄性能を高めることができる。
【００３５】
また、凸部バッフルは回転ドラム３１の中心に向かうにつれて回転ドラム３１の開口部側に凸度合いが大きくなっているので、回転ドラム３１の回転によって洗濯物が回転ドラム３１の上方に到達したときに、回転ドラム３１の開口部側（前面側）へ洗濯物を押し出して分散させる効果もある。
【００３６】
この洗い動作を所定時間行った後、洗い行程を終了し、第１排水行程を実行する。その後、すすぎ行程でも、洗い行程と同様の動作が行なわれ、次の、排水行程、脱水行程へと進んでいく。
【００３７】
以上のように、回転ドラムの内壁面に設けた複数の側面バッフルと、内底面に設けた複数の凸部バッフルを、円周上にて交互に配置することにより、洗い行程時あるいはすすぎ行程時に、洗濯物が絡みにくく、回転ドラム内で三次元的に回転させて、効率よく撹拌動作を行なって、洗浄、すすぎ性能を向上させ、洗濯物を分散させることができる。また、この洗濯物の分散により、脱水時に振動、騒音を低減させることができる。
【産業上の利用可能性】
【００３８】
以上のように、本発明にかかる洗濯機は、回転ドラム内で洗濯物を絡ませることなく分散させて、効率よく、洗い、すすぎ動作を行なうことが可能となるので、他の洗濯機等の用途に適用できる。
【符号の説明】
【００３９】
３１  回転ドラム
３３  水槽
３４  回転軸（回転中心軸）
３５  モータ
３６  側面バッフル
３９  洗濯機本体
４６  凸部バッフル
５６  制御手段
【図１】
2012170680.tif 000003
【図２】
2012170680.tif 000004
【図３】
2012170680.tif 000005